(57)【要約】      （修正有）【課題】脇を長時間支えることによる疲労や脇の痛みを軽減し得るストレッチング装置を提供する。【解決手段】座椅子又は座席の背凭れ等の上縁に引っ掛けるための引掛部と、該引掛部に接続され高さ方向に位置調整可能に支持された脇支持部材とを備え、前記脇支持部材が、身体の胸骨部分を締め付け固定し得るベルトであって、脇での支持とともに該ベルトによる締め付け支持によって体重を支持し得るようにしたベルトを備える。【選択図】図１６
2008073542.tif 000002
【特許請求の範囲】
【請求項１】
座椅子又は座席の背凭れ等の上縁に引っ掛けるための引掛部と、該引掛部に接続され高さ方向に位置調整可能に支持された脇支持部材とを備え、前記脇支持部材が、身体の胸骨部分を締め付け固定し得るベルトであって、脇での支持とともに該ベルトによる締め付け支持によって体重を支持し得るようにしたベルトを備えることを特徴とするストレッチング装置。
【請求項２】
前記引掛部に前記脇支持部材を介して座部が連結されていることを特徴とする請求項１に記載のストレッチング装置。
【請求項３】
座台と、該座台に高さ調整可能に支持された脇支持部材とを有し、該脇支持部材が、身体の胸骨部分を締め付け固定し得るベルトであって、脇での支持とともに該ベルトによる締め付け支持によって体重を支持し得るようにしたベルトにより構成されていることを特徴とするストレッチング装置。
【請求項４】
背凭れ部と、該背凭れ部の長さ方向に位置調節可能に支持された脇支持部材と、前記背凭れ部に連結された連結部材を介して設けられた脚部緊締ベルトと、を有し、前記脇支持部材が、身体の胸骨部分を締め付け固定し得るベルトであって、脇での支持とともに該ベルトによる締め付け支持によって体重を支持し得るようにしたベルトを備えることを特徴とするストレッチング装置。
【請求項５】
前記脇支持部材を前記背凭れ部に沿って頭側へ弾性的に付勢する第１付勢装置を更に有することを特徴とする請求項４記載のストレッチング装置。
【請求項６】
前記背凭れ部と前記連結部材とが角度調節可能に連結されていることを特徴とする請求項４記載のストレッチング装置。
【請求項７】
前記連結部材に足裏を当接し得る足裏当接部が連結され、該足裏当接部に足の甲部を緊締するための足甲部緊締部材が備えられていることを特徴とする請求項４記載のストレッチング装置。
【請求項８】
前記足裏当接部と前記連結部材とが角度調節可能に連結されていることを特徴とする請求項４記載のストレッチング装置。
【請求項９】
前記足裏当接部を前記背凭れ部から離反する側に弾性的に付勢する第２付勢装置を備えることを特徴とする請求項７記載のストレッチング装置。
【請求項１０】
少なくとも両側の腰骨を緊締する腰部緊締ベルトと、該腰部緊締ベルトに取り付けられた弾性支持体と、該弾性支持体により弾性的に支持された脇支持部材とを備え、前記脇支持部材が、胸部を緊締するためのベルトであって、脇での支持とともに該ベルトによる締め付け支持によって体重を支持し得るようにしたベルトにより構成されていることを特徴とするストレッチング装置。
【発明の詳細な説明】
【技術分野】
【０００１】
本発明は、身体の上半身をストレッチングするためのストレッチング装置に係り、特に脇を支持してストレッチングするためのストレッチング装置に関する。
【背景技術】
【０００２】
従来、ストレッチング装置として、例えば、特開平１０−１５５８４８号公報、実開昭５８−４６３５３号公報、特公平１−３１３９２号公報等に開示のものが知られている。
【発明の開示】
【発明が解決しようとする課題】
【０００３】
しかしながら、従来のストレッチング装置は、椅子に一体となって脇支持アームにより上半身を支持する構成のものが知られているが、斯かる構成では、持ち運びが不便である、既存の椅子を利用することができない、或いは、脇を長時間支えることによる疲労や脇の痛みの発生、等といった問題があった。
【０００４】
また、従来の他のストレッチング装置は、単に座った状態で上半身を左右に捻転させる構成であったため、何れのものも上半身の回転（捻転）運動が必ずしも効果的なストレッチングとなっていなかった。その原因について、本発明者が鋭意研究した結果、上半身の回転運動の際に、頸椎より下方の脊柱や、腰及び背中等の上半身の筋肉が伸びていないことが原因であることを見いだした。
【０００５】
そこで、本発明は、持ち運びに便利で、既存の椅子を利用することができるストレッチング装置を提供することを目的とし、さらには、脇を長時間支えることによる疲労や脇の痛みを軽減し得るストレッチング装置を提供することを目的とする。
【０００６】
また、本発明は、脊柱及び腰・背中等の上半身の筋肉を強制的に伸張させながら上半身の回転運動を行い得るストレッチング装置を提供することを目的とする。
【課題を解決するための手段】
【０００７】
本発明の上記目的は、座部と、該座部との距離を調節可能に設けられた脇支持部材とを有し、該脇支持部材は、身体の両脇を支持させたときに身体の脊柱に沿う方向の回動軸回りに回動可能に支持されていることを特徴とするストレッチング装置により達成される。
【０００８】
前記脇支持部材は、身体の両脇を支持するための１対のアームを備えるか、或いは、身体の胸骨部分を締め付け固定し得るベルトを備えることが好ましい。
【０００９】
前記座部は、該座部に大腿部を固定するための第１緊締部材を備えることが好ましい。
【００１０】
前記座部は、該座部に下腿部を固定するための第２緊締部材を備えることが好ましい。
【００１１】
前記座部は、臀部を保持し得る勾配面が形成されていることが好ましく、前後に傾倒動可能に支持されていることが好ましく、左右に傾倒動可能に支持されていることが好ましく、また、前記座部の周囲に沿って回動可能に支持されていることが好ましい。
【００１２】
前記アームは、背もたれ部と、該背もたれ部に胸部を緊締するための第３緊締部材とを備えることが好ましい。
【００１３】
前記脇支持部材は、前記回動軸に揺動自在に支持されていることが好ましい。
【００１４】
また、本発明の上記目的は、座椅子又は座席の背凭れ等の上縁に引っ掛けるための引掛部と、該引掛部に接続され高さ方向に位置調整可能に支持される脇支持部材とを備えることを特徴とするストレッチング装置により達成される。
【００１５】
前記引掛部に前記脇支持部材を介して座部が連結されていることが好ましい。
【００１６】
さらに、本発明の上記目的は、座台と、該座台に高さ調整可能に支持された脇支持部材とを有し、該脇支持部材が、身体の胸骨部分を締め付け固定し得るベルトにより構成されていることを特徴とするストレッチング装置によって達成される。
【００１７】
また、本発明の上記目的は、背凭れ部と、該背凭れ部の長さ方向に位置調節可能に支持された脇支持部材と、前記背凭れ部に連結された連結部材を介して設けられた脚部緊締ベルトと、を有することを特徴とするストレッチング装置によって達成される。
【００１８】
さらにまた、本発明の上記目的は、少なくとも両側の腰骨をしっかりと緊締する腰部緊締ベルトと、該腰部緊締ベルトに取り付けられた弾性支持体と、該弾性支持体により弾性的に支持された脇支持部材とを備えることを特徴とするストレッチング装置により達成される。前記脇支持部材は、胸部を緊締するためのベルトにより構成されていることが好ましい。
【発明の効果】
【００１９】
以上の説明から明らかなように、本発明に係るストレッチング装置によれば、座部と、該座部との距離を調節可能に設けられた脇支持部材とを有し、該脇支持部材は、前記脇支持部材に身体の両脇を支持させたときに身体の脊柱に沿う方向の回動軸回りに回動可能に支持されていることとしたので、脊柱及び、腰・背等の上半身の筋肉を強制的に伸張させながら上半身の回転運動を行うことができる。
【００２０】
また、座椅子又は座席の背凭れ等の上縁に引っ掛けるための引掛部と、該引掛部に接続され高さ方向に位置調整可能に支持される脇支持部材とを備えることにより、持ち運びにも便利であり、既存の椅子にも適用することができる。
【００２１】
さらに、前記脇支持部材を、身体の胸骨部分を締め付け固定し得るベルトにより構成することにより、脇を長時間を支えることによる疲労や脇の痛みを軽減することができる。
【発明を実施するための最良の形態】
【００２２】
本発明に係るストレッチング装置の第１実施形態について以下に図１〜５を参照して説明する。図１は、本発明に係るストレッチング装置の一実施形態を示す側面図、図２はその正面図、図３はその平面図、図４はその背面図、図５は図２のＡ−Ａ線縦断面図である。なお、全図を通し、同様の構成部分には同符号を付した。
【００２３】
ストレッチング装置１は、基台２、基台２に固設した脚部３、脚部３に支持された座部４、脚部３の摺動可能に外嵌装着した第１スリーブ５、第１スリーブ５に固設した第１水平軸６（図５）、第１水平軸６に回動可能に外嵌装着した第２スリーブ７、第２スリーブ７に回動可能に軸支した回動軸８、回動軸８に回動可能に外嵌した第３スリーブ９、第３スリーブ９に摺動可能に装着した脇支持部材１０、及び、回動軸８の先端に固定した枕部１６を備えている。
【００２４】
基台２は、ストレッチングの際にストレッチング装置１が倒れないように、十分な重量及び長さ寸法とされ、鋼鉄等の頑丈な構成材により前後左右に延設して形成することができる。
【００２５】
基台に固設した脚部３は、円筒形をしたパイプで形成することができ、座部４は脚部３に固定されている。座部４には、着座した時に臀部を包むように保持し得る勾配面４ａが、座部４の周囲内側に形成されており、この勾配面４ａは、座骨の勾配に相当する勾配を有し、着座した時に腰骨が動かないように臀部をしっかりと保持することができるようになっている。
【００２６】
座部４には、着座した時に大腿部を座部４に固定するための第１緊締部材１１と、下腿部を座部４に固定するための第２緊締部材１２とが取り付けられている。第１緊締部材１１には、バックル付きベルト、面ファスナー付きベルト等の公知のベルト緊締部材を採用することができる。また、座部４は、使用者の脚の長さに対応して前後方向の長さを調節することができるように、座部４の前部に出し入れ可能な調整用前座部４ｂを座部４の本体内に摺動可能に収納し、該本体に調整用前座部４ｂの位置を固定するための固定手段としての止めネジ４ｃを設けることが好ましい。
【００２７】
パイプからなる脚部３に摺動可能に装着された第１スリーブ５は、所要の高さ位置において第１スリーブ５を固定するための固定手段を有している。固定手段としては、第１スリーブ５に公知の締め付けボルト（図示せず）を取り付ける様式を採用し得る。この場合、前記締め付けボルトを締め付けると第１スリーブ５は、脚部３回りに回転させることができない。第１スリーブ５を脚部３回りで回転させたい場合は、固定手段１３として、脚部３に、ボルト付きスリーブを第１スリーブ５の下方に装着し、該ボルト付きスリーブのボルト１３ａを締めて該ボルト付きスリーブを脚部３に固定することにより、第１スリーブ５を所要高さ位置において回動自在に保持させることができる。
【００２８】
第１スリーブ５に固設した第１水平軸６は、第１スリーブ５に溶接等により固定されている。第１水平軸６には、第２スリーブ７が回動方向に摺動可能に装着されている。第１水平軸６の周囲には円環状溝が形成され（図示せず）、第２スリーブ７に取り付けた締め付けボルト７ａのボルト先が前記円環状溝に填り、第２スリーブ７の抜けを防止するととともに、第２スリーブ７を第１水平軸６に対して回動可能にしている。
【００２９】
第２スリーブ７には、第２水平軸１４が、第１水平軸６とは直交をなすようにして支持されている。第２水平軸１４は、第２スリーブ７から突出し、突出させた第２水平軸１４の両端を直角に曲折させて前方へ延びる第１腕部１４ａ，１４ｂを形成し、その第１腕部１４ａ，１４ｂの両先端部に第１弾性部材１５の一端が取り付けられ、第１弾性部材１５の他端は基台２に取り付けられている。第１弾性部材１５としては、コイルバネ、弾性ゴム等の公知の弾性部材を用いることができる。
【００３０】
第２水平軸１４には、回動軸８が一体的に固定されている。回動軸８は、第２水平軸１４から直角に延びている。回動軸８の先端には、枕部１６が取り付けられている。回動軸８には、第３スリーブ９が回動軸８回りに回動できるように摺動可能に外嵌されている。第３スリーブ９は、角パイプで形成されており、基端部に、両側方に延びる第２腕部１７ａ、１７ｂが形成されている。第２腕部１７ａ、１７ｂの先端には、第２弾性部材１８の一端が取り付けられ、第２弾性部材１８の他端は第１腕部１４ａ、１４ｂに取り付けられている。
【００３１】
脇支持部材１０は、第３スリーブ９に摺動自在に外嵌装着され、左右両側に一対のアーム１０ａ、１０ｂを備えることができる。脇支持部材１０は、第３スリーブ９への固定手段としての固定ネジ１０ｃを備えており、所要位置にて第３スリーブに固定することで、座部４との距離を調節できるようになっている。脇支持部材１０は、背もたれ部１０ｄと、胸部を緊締するための第３緊締部材１０ｅとを備えることができる。
【００３２】
また、脇支持部材１０は、左右一対のアームに代えて、身体の胸骨部分を締め付け固定し得るベルト（図１６のベルト３０を参照）を備えることとしても良い。
【００３３】
上記構成を有するストレッチング装置は、脇支持部材１０を含む回動軸８が、第１弾性部材１５によって図１の状態に維持されており、第２水平軸１４回りに回動させることによって脇支持部材１０を後方に傾倒しても、第１弾性部材１５の弾性力により前方に起こされ、元の位置に戻るようになっている。また、脇支持部材１０を、回動軸８を回転中心として左右に回転させた場合、第２弾性部材１８の弾性力により、元の位置に戻るようになっている。ここで、第１弾性部材１５は、上半身の体重を支えることができる程度の弾性係数（バネ定数）を有しているが、第２弾性部材１８は、脇支持部材１０を元の位置に戻すのに必要な弾性係数で足りる。
【００３４】
回動軸８は、第１水平軸６回りに回動させることによって左右に傾倒動できるが、この場合も、第１弾性部材１５の復元力が働く。更に、回動軸８は、第１スリーブ５を介して脚部３の回りに（即ち、座部４の周囲に沿って）回動することができるが、この場合にも、第１弾性部材１５の復元力が働く。
【００３５】
上記のような構成を有するストレッチング装置の使用方法について、以下に説明する。
【００３６】
使用者は、座部４に腰掛け、脇支持部材１０の位置調整して、体重が脇支持部材１０にかかるように（即ち、臀部が座部４から少し浮く程度に）座部４と脇支持部材１０との距離を調節する。この状態で使用者が、脇支持部材１０とともに上半身を左右に捻転させる運動を行うと、脊柱を伸ばした状態で上半身の捻転運動を実現させることができる。
【００３７】
このとき、第１緊締部材１１によって、大腿部を座部４に固定しておけば、脊柱の伸展を強制的になすことができるとともに、上半身の捻転運動に下半身がつられることがないので、上半身の捻転運動を効果的に行うことが出来る。また、第２緊締部材１２によって下腿部を座部４に固定しておけば、上半身の捻転に伴って左右の脚がずれる傾向（例えば、上半身を右へ捻転しようとすると、左端の膝が前にでようとする傾向）を無くし、下半身の動きを伴わない上半身のみの捻転を実現することができ、これが上半身の効果的な捻転運動を具現する。更に、座部４に、臀部を保持する勾配面を形成しておけば、上半身の捻りに伴う腰の回転を阻止し、上半身の捻転運動を効果的に行い得る。
【００３８】
また、このストレッチング装置１は、回動軸８を第１水平軸６、第２回動軸８の回りに回動させることができるので、上半身の捻転運動だけでなく、上半身を前後左右に傾ける運動もでき、広背筋、外腹斜筋、外側鋸筋、直腹筋等を鍛錬することもできるとともに、上半身の捻転運動と合わせれば、極めて高いストレッチ効果を得ることが可能となる。更に、胸部を第３緊締部材１０ｅにて緊締しておけば、上半身を前後に傾ける運動において、後方に倒した上半身を前方に起こすときに、脇の力で脇支持部材１０を保持しなくても、脇支持部材１０が上半身に伴われる。
【００３９】
一般に、日常生活或いは労働における同一作業の繰り返しや、ゴルフ・野球等におけるクラブ・バットの一方向方へのスイング等によって、身体における筋肉・骨組み等の左右の非対称性・非均衡性が生じると考えられる。例えば、右打ちの野球選手では、右側の筋肉及びその筋肉の骨への着床部が、左側のそれに対して大きく発達し、そのような左右不均衡が骨組みの歪みや変形を引き起こし、筋肉痛、関節痛等につながることがある。ストレッチング装置１によって、脊柱を伸展させた状態で上半身の捻転運動、及び上記した腹筋運動の組み合わせ運動を行えば、特に、身体における左右の非対称性・非均衡性に起因すると考えられる種々の症状の改善に効果がある。また、腹筋、腰背筋等の筋肉を強化する事で脊柱の支持性を強化することができ、腰痛の予防や改善にも効果がある。
【００４０】
次に、本発明に係るストレッチング装置は、第２実施形態について図６を参照して以下に説明する。図６は、第２実施形態に係るストレッチング装置の脇支持部材を略半分断面で示す正面図、図７は図６のＢ−Ｂ視端面を示す平面図である。尚、上記第１実施形態と同様の構成部分については、同符号を付した。
【００４１】
第２実施形態では、図６に示すように、回動軸８が、その長さ方向に亘って螺子が刻設されており、その螺子に螺合するナット部材２０が脇支持部材１０の下部に配設されている。脇支持部材１０は、回動軸８上を摺動可能に外嵌されてナット部材２０によって支持されており、ナット部材２０を螺子回転させることによりナット部材２０が回動軸８上を移動し、それに伴って脇支持部材１０が回動軸８上を移動するようになっている。
【００４２】
また、図６及び図７に示すように、脇支持部材１０を、回動軸８に対し揺動自在に支持させておくことができる。そのような揺動自在な支持構造として、回動軸８の通る脇支持部材１０の孔１０ｆを、回動軸８を中心として下方から上方にかけて漸次広がるテーパー状としておき、それによってナット部材２０との接点部を中心として脇支持部材１０を回動軸８に対して揺動可能（図の一点鎖線）に支持させることができる。ナット部材２０は、前記揺動を容易にするため上部を円錐台状に形成しておくことが好ましい。
【００４３】
このように、脇支持部材１０を回動軸８に対して揺動可能に支持させることによって、ストレッチング装置１に着座している人が脇支持部材１０をその人の両脇で挟持した状態で、回動軸８を左右に傾倒動させた時に、図８に示すように、脇支持部材１０を水平状態に維持することができる。
【００４４】
このように、脇支持部材１０を水平状態に維持することにより、背骨を地面と平行な状態での移動を可能にし、よりストレッチ効果、治療効果等を高めることができる。即ち、身体における背骨の異常としては、人体の脊柱を構成する推骨の何れかが傾いていることによる場合が考えられ、そのような推骨の傾きを矯正し、改善しようとする効果を高めるものである。
【００４５】
また、図９に示すように、脇支持部材１０は、背せもたれ部１０ｄを３段に分割して積み重ねた構成とし、格段の背もたれ部１０ｄに上記したと同様なテーパー状の孔１０ｆを各々に形成しておき、これら分割された背もたれ部１０ｄを、回動軸８に対し揺動自在に支持させておくことができる。それによって、回動軸８が左右に傾倒動させた時に、図９の仮想線で示すように、３段の背もたれ部１０ｄが水平状態を維持しつつ、左右に移動できる。
【００４６】
次に、本発明に係るストレッチング装置の第３実施形態について図１０〜図１３を参照して以下に説明する。尚、上記第１実施形態と同様の構成部分については、同符号を付した。
【００４７】
第３実施形態では、座部４にフレー３０が取り付けられ、フレーム３０は床面Ｆにボルト３１等により固定されている。座部４の裏面には、図１２に示すように、内螺子の刻設された螺子管３２が固着され、螺子管３２に摺動管３３が外嵌され、摺動管３３を螺子管３２に螺入された有頭ボルト３４によって支持させている。摺動管３３には、ナット部材３５が溶接固定され、このナット部材３５に軸受け部材３６の基部３６ａがボルト３７によって固定されている。軸受け部材３６は、一対の軸受け部３６ｂ，３６ｂを有し、この軸受け部３６ｂ，３６ｂに、回動軸９の基端部に設けた軸受け３８，３８が、ボルト３９及びナット４０によって軸着されている。
【００４８】
このように構成された上記第３実施形態のストレッチング装置によると、次のような作動をする。
【００４９】
摺動管３３は螺子管３２の軸線回りに回動自在であるから、回動軸９及び脇支持部材１０は、座部４の後方周囲に沿って回動することができる。回動軸９が連結された軸受け部材３６は、ボルト３７を緩めることにより、ボルト３７の軸線回りに回動可能であるから、回動軸９及び脇支持部材１０の左右傾倒角度を調節することができる。軸受け部材３６と回動軸９の軸受け３８とを軸着しているボルト３９及びナット４０を緩めることにより、回動軸９及び脇支持部材１０の前後方向への傾倒角度を調節することができ、リクライニング機能を持たせることができる。
【００５０】
本発明は、上記第１〜第３実施形態に限定されるものではなく、例えば、脚部を設けずに脇支持部材を座部に支持させることも可能であるし、或いは、脇支持部材は、脚部に取り付けずに上記第１、第２実施形態における基台（２）に取り付けることもできる。また、上記第１実施形態の第１スリーブ５、第２スリーブ７は、所要の回転角度位置にて固定するために固定ネジ等による固定手段を設けることも可能である。更に、回転駆動部分にモータを取り付けて電気制御することも可能である。そして、上記したストレッチング装置は、スポーツジムや整骨院等におけるストレッチングマシンに限らず、バス、トラック、乗用車、航空機等の椅子、家庭用椅子、ソファー等の種々のものに適用することができる。
【００５１】
次に本発明に係るストレッチング装置の第４実施形態について以下に図１４，１５を参照して説明する。図１４は、第４実施形態のストレッチング装置を示す斜視図、図１５のそのＥ−Ｅ面断面図である。
【００５２】
本発明に係る第４実施形態のストレッチング装置１ａは、図１４，１５に示すように、座椅子又は座席の背凭れ等の上縁に引っ掛けるための引掛部２０と、引掛部２０に接続され前記背凭れ等の高さ方向に多段階位置調整可能に支持された脇支持部材１０とを備えている。
【００５３】
図示の例では、引掛部２０を厚さ３〜５ｍｍのステンレス板を略コの字型に曲げて形成し、引掛部２０の一片を延設してその外側面に鍵穴状の係止穴２１ａを高さ方向に複数個形成した係止板２１を両サイドに設けるとともに、一対のアーム１０ａの各々の端部に係止穴２１ａに係止し得る係止ピン１０ｐを設けて、係止ピン１０ｐを係止穴２１ａに係止することにより、一対のアーム１０ａ、１０を高さ方向に位置調節可能に支持している。アーム１０ａの裏側には、荷重支持のための斜材１０ｓがアーム１０ａに一体的に固定されている。なお、アーム１０ａを高さ方向に位置調整可能に支持する機構は、種々の公知の機構を採用することができる。
【００５４】
斯かる構成を有する第４実施形態のストレッチング装置は、持ち運びに便利で、既存の椅子に引っ掛けて使用することができる。例えば、このストレッチング装置１ａを旅客機に収納しておき、客席に使用すれば、腰痛や肩こりに効果がある他、長時間座っていることにより生じる血栓を防止し、近年問題となっている所謂エコノミー症候群を予防する効果も発揮し得る。
【００５５】
図１６は、本発明に係る第５実施形態のストレッチング装置であり、第４実施形態の変更態様である。第５実施形態のストレッチング装置１ｂは、身体の胸骨部分を締め付け固定し得る帯状のベルト３０により脇を支持する点が、第４実施形態と異なる。帯状のベルト３０は、上記第４実施形態と同様の係止機構（不図示）を備えることにより高さ調整可能に支持されている。ベルト３０は、伸縮性を備える布材で形成しても良く、面ファスナー３１等によって着脱、締め付け調整可能とされる。また、ベルト３０は、脇があたる部位に厚手の布やスポンジ材等によって形成した緩衝部材３２を取り付けておくことが好ましい。
【００５６】
上記第５実施形態によるストレッチング装置によれば、脇だけで体重を支持せずに、ベルト３０による締め付け支持が加わるため、長時間を体重を支えることによる疲労や脇の痛みを軽減することができる。
【００５７】
図１７は、本発明に係る第６実施形態のストレッチング装置を示す。第６実施形態のストレッチング装置１ｃは、第５実施形態の変更態様であり、座部４が連結されている。座部４は、引掛部２０と別部材とし、面ファスナー、ボルト穴とボルトとの組合せ等の公知の方法によって、引掛部２０に対して高さ調整可能とすることができる。帯状のベルト３０が取り付けられている板材３４を介して、引掛部２０の一端を延設した背板部２０ａに形成した複数個のボルト穴（図示せず）にボルト３５を螺入することにより、ベルト３０を引掛部２０に対して多段階高さ位置調節可能に支持しており、座部４も同様の構成により、引掛部２０に対して高さ位置調整可能に支持されている。斯かるストレッチング装置１ｃは、背凭れのない椅子、腰掛け等にも、接着剤、ベルト締め付け、釘打ち付け、ねじ釘留め、ボルト留め等によって固定して使用することができる。
【００５８】
図２０は、第６実施形態の変更態様であり、腰部緊締ベルト６１と、腰部緊締ベルト６１に連接され弾性支持体６２と、弾性支持体６２に支持されるとともに脇支持及び胸骨緊締のための帯状のベルト３０とを備えている。弾性支持体６２は、図示の例では金属板をジグザグ状に曲げてダイヤフラム状にしたものを使用しているが、ベルト３０を上方へ弾性的に持ち上げることのできる支持体であれば特に限定されない。斯かる構成のストレッチング装置１ｃ’では、腰部緊締ベルト６１が両側の腰骨にしっかりと固定され、一方、弾性支持体６２は、ベルト３０を図の上方へ弾性的に押し上げるから、脊柱を強制的に牽引することができ、椎間板ヘルニア等に適用できる。
【００５９】
上記第４〜第６実施形態における引掛部は、織物などの可撓性の帯状部材を襷掛けしたり他の引っ掛け方法により引っ掛ける構成とすることができ、折り畳み収納できるようにしても良い。
【００６０】
図１８は、本発明に係る第７実施形態のストレッチング装置を示す斜視図である。第７実施形態のストレッチング装置１ｄは、座台４０と、座台４０に高さ調整可能に支持されるとともに身体の胸骨部分を締め付け固定し得るベルト３０を備えている。図示の例では、台座４０に一対の角形鋼管４１を立設し、各々の各型鋼管４１に摺動自在に挿入した支持棒４２にベルト３０を取り付けている。支持棒４２は、留め螺子４３によって自由高さ位置に固定することができる。即ち、ベルト３０は、支持棒４２をスライドさせ、所望位置にて螺子止めすることで高さ位置調節が可能となっている。台座４０は、持ち運びを更に容易にするために、蝶番等を用いて、鋼管４１に対して折り畳み可能に取り付けることもできる。
【００６１】
図１９は、本発明に係る第８実施形態のストレッチング装置を示す側面図である。図１９に示すように、第８実施形態に係るストレッチング装置１ｅは、背凭れ部５０と、背凭れ部５０の長さ方向に位置調節可能に支持された脇支持部材１０と、背凭れ部５０に連結された連結部材５１を介して設けられた脚部緊締ベルトとを備えている。脇支持部材１０は、身体の胸骨部分を締め付け固定し得るベルトにより構成されているが、図１４に示したようなアームとすることもできる。連結部材５１は、剛性を有するフレーム材や板材により形成することができる。背凭れ部５０と連結部材５１とは、螺子結合等によって連結することにより、互いに角度調節可能に連結することが好ましい。また、図示しないが、連結部材５１を左右の脚に沿わせて左右一対設け、その開脚角度を調整できるようにしても良い。また、腰の回転角度や膝の回転角度を調節する調節機構（図示せず）を設けても良い。
【００６２】
ストレッチング装置１ｅは、脇支持部材１０を背凭れ部５０に沿って頭側へ弾性的に付勢する第１付勢装置を備えることができる。該第１付勢装置は、例えば圧縮コイルバネ（図示せず）を背凭れ部５０に内装しておき、脇支持部材１０を背凭れ部５０に摺動自在に取り付け、該脇支持部材を前記圧縮コイルバネで押圧する構成とすることができる。
【００６３】
また、連結部材５１に足裏を当接し得る足裏当接部５５を連結し、足裏当接部５５に足の甲部を緊締するための足甲部緊締部材５６を備えることができる。足裏当接部５５と連結部材５６とは、角度調節可能に連結されていることが好ましい。更に、上記第１付勢装置と同様に、足裏当接部５５を背凭れ５０から離反する側に弾性的に付勢する第２付勢装置を備えることができる。図中、５８は腰部緊締部材、５９は足首を緊締している脚部緊締部材である。
【００６４】
上記のような構成を有する第８実施形態のストレッチング装置１ｅによれば、全身のストレッチングができ、併せて、足首のストレッチング、背筋のストレッチング等の効果がある。
【図面の簡単な説明】
【００６５】
【図１】本発明に係るストレッチング装置の第１実施形態を示す側面図である。
【図２】図１のストレッチング装置の正面図である。
【図３】図１のストレッチング装置の平面図である。
【図４】図１のストレッチング装置の背面図である。
【図５】図２のＡ−Ａ線縦断面図である。
【図６】本発明に係るストレッチング装置の第２実施形態を示す正面図である。
【図７】図７のＢ−Ｂ視端面を示す平面図である。
【図８】図６のストレッチング装置の回動軸を左右傾倒動させた状態を示す正面図である。
【図９】図６のストレッチング装置の変更態様を示す正面図である。
【図１０】本発明に係るストレッチング装置の第２実施形態を示す側面図である。
【図１１】図８のストレッチング装置の正面図である。
【図１２】図９のＣ−Ｃ線断面を拡大して示す縦断面図である。
【図１３】図１０のＤ−Ｄ線断面を示す横断面図である。
【図１４】本発明に係るストレッチング装置の第４実施形態を示す斜視図である。
【図１５】図１４のＥ−Ｅ面断面図である。
【図１６】本発明に係るストレッチング装置の第５実施形態を示す斜視図である。
【図１７】本発明に係るストレッチング装置の第６実施形態を示す斜視図である。
【図１８】本発明に係るストレッチング装置の第７実施形態を示す斜視図である。
【図１９】本発明に係るストレッチング装置の第８実施形態を示す斜視図である。
【図２０】図１７の第６実施形態の変更態様であるストレッチング装置を示す斜視図である。
【符号の説明】
【００６６】
１，１ａ，１ｂ，１ｃ、１ｃ’，１ｄ，１ｅ  ストレッチング装置
１  基台
２  脚部
３  座部
８  回動軸
１０  脇支持部材
１０ａ、１０ｂ  アーム
１０ｅ  第３緊締部材
１０ｄ  背もたれ部
１１  第１緊締部材
１２  第２緊締部材
１６  枕部
２０  引掛部
３０  ベルト
４ｄ  座板
５０  背凭れ部
５１  連結部材
５５  足裏当接部
５６  足甲部緊締部材
６１  腰部緊締部材
６２  弾性支持体
【図１】
2008073542.tif 000003
【図２】
2008073542.tif 000004
【図３】
2008073542.tif 000005
【図４】
2008073542.tif 000006
【図５】
2008073542.tif 000007
【図６】
2008073542.tif 000008
【図７】
2008073542.tif 000009
【図８】
2008073542.tif 000010
【図９】
2008073542.tif 000011
【図１０】
2008073542.tif 000012
【図１１】
2008073542.tif 000013
【図１２】
2008073542.tif 000014
【図１３】
2008073542.tif 000015
【図１４】
2008073542.tif 000016
【図１５】
2008073542.tif 000017
【図１６】
2008073542.tif 000018
【図１７】
2008073542.tif 000019
【図１８】
2008073542.tif 000020
【図１９】
2008073542.tif 000021
【図２０】
2008073542.tif 000022
【手続補正書】
【提出日】平成19年11月1日(2007.11.1)
【手続補正１】
【補正対象書類名】明細書
【補正対象項目名】００４７
【補正方法】変更
【補正の内容】
【００４７】
第３実施形態では、座部４にフレー３０１が取り付けられ、フレーム３０１は床面Ｆにボルト３１１等により固定されている。座部４の裏面には、図１２に示すように、内螺子の刻設された螺子管３２１が固着され、螺子管３２１に摺動管３３１が外嵌され、摺動管３３１を螺子管３２１に螺入された有頭ボルト３４１によって支持させている。摺動管３３１には、ナット部材３５１が溶接固定され、このナット部材３５１に軸受け部材３６１の基部３６１ａがボルト３７１によって固定されている。軸受け部材３６１は、一対の軸受け部３６１ｂ，３６１ｂを有し、この軸受け部３６１ｂ，３６１ｂに、回動軸９の基端部に設けた軸受け３８１，３８１が、ボルト３９１及びナット４０１によって軸着されている。
【手続補正２】
【補正対象書類名】明細書
【補正対象項目名】００４９
【補正方法】変更
【補正の内容】
【００４９】
摺動管３３１は螺子管３２１の軸線回りに回動自在であるから、回動軸９及び脇支持部材１０は、座部４の後方周囲に沿って回動することができる。回動軸９が連結された軸受け部材３６１は、ボルト３７１を緩めることにより、ボルト３７１の軸線回りに回動可能であるから、回動軸９及び脇支持部材１０の左右傾倒角度を調節することができる。軸受け部材３６１と回動軸９の軸受け３８１とを軸着しているボルト３９１及びナット４０１を緩めることにより、回動軸９及び脇支持部材１０の前後方向への傾倒角度を調節することができ、リクライニング機能を持たせることができる。
【手続補正３】
【補正対象書類名】明細書
【補正対象項目名】００６６
【補正方法】変更
【補正の内容】
【００６６】
１，１ａ，１ｂ，１ｃ、１ｃ’，１ｄ，１ｅ  ストレッチング装置
１  基台
２  脚部
３  座部
８  回動軸
１０  脇支持部材
１０ａ、１０ｂ  アーム
１０ｅ  第３緊締部材
１０ｄ  背もたれ部
１１  第１緊締部材
１２  第２緊締部材
１６  枕部
２０  引掛部
３０  ベルト
４０  座台
５０  背凭れ部
５１  連結部材
５５  足裏当接部
５６  足甲部緊締部材
６１  腰部緊締部材
６２  弾性支持体
【手続補正４】
【補正対象書類名】図面
【補正対象項目名】図１０
【補正方法】変更
【補正の内容】
【図１０】
2008073542.tif 000023
【手続補正５】
【補正対象書類名】図面
【補正対象項目名】図１１
【補正方法】変更
【補正の内容】
【図１１】
2008073542.tif 000024
【手続補正６】
【補正対象書類名】図面
【補正対象項目名】図１２
【補正方法】変更
【補正の内容】
【図１２】
2008073542.tif 000025
【手続補正７】
【補正対象書類名】図面
【補正対象項目名】図１３
【補正方法】変更
【補正の内容】
【図１３】
2008073542.tif 000026
【手続補正８】
【補正対象書類名】図面
【補正対象項目名】図１８
【補正方法】変更
【補正の内容】
【図１８】
2008073542.tif 000027